(57)【要約】【課題】幅ガイド部材を印刷用紙の幅方向において連続的に位置調節し、調節セットする操作、さらにそのロックおよび解除の操作も簡単で、幅ガイド部材を印刷用紙の幅方向にセットした状態で固定ないしロックするための簡易な構成を有する用紙の幅ガイドロック装置を提供すること。【解決手段】幅ガイド部材に係脱可能な操作軸をロックレバーにより回動操作可能とし、幅ガイド部材と操作軸との間にロックおよびその解除を可能とするロック機構を設けることに着目したもので、印刷用紙の幅方向をガイドする幅ガイド部材と、幅ガイド部材に係脱可能な操作軸と、操作軸と一体的に回動操作可能なロックレバーと、幅ガイド部材と操作軸との間に設けるとともに、ロックレバーの回動操作にともなって操作軸を幅ガイド部材にロック可能およびロック解除可能とするロック機構と、を有することを特徴とする。【選択図】図４
2010184360.tif 000002
【特許請求の範囲】
【請求項１】
移送路上を移送される用紙の幅ガイドロック装置であって、
前記用紙の幅方向に移動調節可能に設けて前記用紙をガイドする幅ガイド部材と、
前記移送路に直交して設け、この幅ガイド部材をその軸方向に沿って移動調節可能とするとともに、この幅ガイド部材に係脱可能な操作軸と、
この操作軸と一体的に回動操作可能なロックレバーと、
前記幅ガイド部材と前記操作軸との間に設けるとともに、このロックレバーの回動操作にともなって前記操作軸を前記幅ガイド部材にロック可能およびロック解除可能とするロック機構と、
を有することを特徴とする用紙の幅ガイドロック装置。
【請求項２】
前記幅ガイド部材は、前記用紙の幅方向に左右一対を設けたことを特徴とする請求項１記載の用紙の幅ガイドロック装置。
【請求項３】
前記左右一対の幅ガイド部材の間に、ラックおよびピニオンを設け、前記幅ガイド部材を互いに反対方向に移動可能としたことを特徴とする請求項２記載の用紙の幅ガイドロック装置。
【請求項４】
前記操作軸は、その断面がカム形状を呈するカム部を形成しているとともに、
前記幅ガイド部材に形成したロック空間にこのカム部を挿通することを特徴とする請求項１記載の用紙の幅ガイドロック装置。
【請求項５】
前記幅ガイド部材は、前記操作軸と係脱可能な舌片部を有することを特徴とする請求項１記載の用紙の幅ガイドロック装置。
【請求項６】
前記操作軸は、その軸方向に弧状切欠き部を形成していることを特徴とする請求項１記載の用紙の幅ガイドロック装置。
【請求項７】
前記ロック機構は、前記幅ガイド部材に形成した舌片部を有し、
前記操作軸の軸方向に形成した弧状切欠き部がこの舌片部に対向しているとともに、前記ロックレバーの回動操作にともなって前記操作軸をこの舌片部に係脱させることを特徴とする請求項１記載の用紙の幅ガイドロック装置。
【請求項８】
前記舌片部は、固定端部と自由端部とを有し、わずかに弾性変形可能であることを特徴とする請求項５記載の用紙の幅ガイドロック装置。
【請求項９】
前記幅ガイド部材は、前記操作軸を挿通するロック空間を形成し、
このロック空間は、より長い第１の内径Ｌ１およびより短い第２の内径Ｌ２を有し、
前記操作軸は、このロック空間内において、より大きな第１の直径Ｄ１およびより短い第２の直径Ｄ２を有するとともに、
前記ロック空間の前記第２の内径Ｌ２が、前記操作軸の前記第１の直径Ｄ１より小さく、かつ、前記操作軸の前記第２の直径Ｄ２より大きくこれを形成してあることを特徴とする請求項１記載の用紙の幅ガイドロック装置。
【請求項１０】
前記ロック空間における前記第１の内径Ｌ１は、これを前記操作軸の前記第１の直径Ｄ１と同じに形成してあることを特徴とする請求項９記載の用紙の幅ガイドロック装置。
【請求項１１】
前記幅ガイド部材は、複数個の舌片を設けて前記操作軸を挿通するロック空間を形成していることを特徴とする請求項１記載の用紙の幅ガイドロック装置。
【請求項１２】
前記幅ガイド部材は、前記操作軸を挿通する断面環状のロック空間を形成していることを特徴とする請求項１記載の用紙の幅ガイドロック装置。
【発明の詳細な説明】
【技術分野】
【０００１】
本発明は用紙の幅ガイドロック装置にかかるもので、とくにプリンターに装填する帯状の印字用紙を移送路に沿って幅方向でガイドするための用紙の幅ガイドロック装置に関するものである。
【背景技術】
【０００２】
従来から、各種のプリンターに印刷用紙を装填し、これを内部の移送路上に移送して各種情報を印字するにあたり、所定のガイド部材を用いて印刷用紙の幅を規制することによって、その移送および印字を適正に行う幅ガイド装置が工夫されている。
【０００３】
これら各種の幅ガイド装置は、特許文献１をはじめ多くが開発されているが、印刷用紙の幅に合わせてガイド部材を移動調節する操作性、およびそのガイドの適切さにおいて満足のいくものがないという問題がある。
また、特許文献１などによる幅ガイド装置では、印刷用紙の幅を規制するための調節位置が不連続であって、ガイド部材を印刷用紙の任意の幅に合わせて適切かつ正確に接触させることが困難であるという問題がある。
さらに、印刷用紙の所定の幅に合わせてガイド部材をセットした状態で固定ないしロックするための簡易な構成も要請されていた。
なお、印字部による印字を行わずに、ラベル用紙などを装填してその台紙からラベルを剥離するとともに、任意の被着体などに貼り付ける場合にも、上述と同様に用紙を適正かつ安定してガイドする必要がある。
【先行技術文献】
【特許文献】
【０００４】
【特許文献１】特開２００５−１６１５２３号公報
【発明の概要】
【発明が解決しようとする課題】
【０００５】
本発明は以上のような諸問題にかんがみなされたもので、用紙を幅規制するにあたってその操作性に優れた用紙の幅ガイドロック装置を提供することを課題とする。
【０００６】
また本発明は、幅ガイド部材を用紙の幅方向において連続的に位置調節することができる用紙の幅ガイドロック装置を提供することを課題とする。
【０００７】
また本発明は、幅ガイド部材を用紙の幅方向に調節セットする操作が容易であるとともに、そのロックおよび解除の操作も簡単な用紙の幅ガイドロック装置を提供することを課題とする。
【０００８】
また本発明は、幅ガイド部材を用紙の幅方向にセットした状態で固定ないしロックするための簡易な構成を有する用紙の幅ガイドロック装置を提供することを課題とする。
【課題を解決するための手段】
【０００９】
すなわち本発明は、幅ガイド部材に係脱可能な操作軸をロックレバーにより回動操作可能とし、幅ガイド部材と操作軸との間にロックおよびその解除を可能とするロック機構を設けることに着目したもので、移送路上を移送される用紙の幅ガイドロック装置であって、上記用紙の幅方向に移動調節可能に設けて上記用紙をガイドする幅ガイド部材と、上記移送路に直交して設け、この幅ガイド部材をその軸方向に沿って移動調節可能とするとともに、この幅ガイド部材に係脱可能な操作軸と、この操作軸と一体的に回動操作可能なロックレバーと、上記幅ガイド部材と上記操作軸との間に設けるとともに、このロックレバーの回動操作にともなって上記操作軸を上記幅ガイド部材にロック可能およびロック解除可能とするロック機構と、を有することを特徴とする用紙の幅ガイドロック装置である。
上記幅ガイド部材は、上記用紙の幅方向に左右一対を設けることができる。
上記左右一対の幅ガイド部材の間に、ラックおよびピニオンを設け、上記幅ガイド部材を互いに反対方向に移動可能とすることができる。
上記操作軸は、その断面がカム形状を呈するカム部を形成しているとともに、上記幅ガイド部材に形成したロック空間にこのカム部を挿通することができる。
上記幅ガイド部材は、上記操作軸と係脱可能な舌片部を有することができる。
上記操作軸は、その軸方向に弧状切欠き部を形成していることができる。
上記ロック機構は、上記幅ガイド部材に形成した舌片部を有し、上記操作軸の軸方向に形成した弧状切欠き部がこの舌片部に対向しているとともに、上記ロックレバーの回動操作にともなって上記操作軸をこの舌片部に係脱させることができる。
上記舌片部は、固定端部と自由端部とを有し、わずかに弾性変形可能であることができる。
上記幅ガイド部材は、上記操作軸を挿通するロック空間を形成し、このロック空間は、より長い第１の内径Ｌ１およびより短い第２の内径Ｌ２を有し、上記操作軸は、このロック空間内において、より大きな第１の直径Ｄ１およびより短い第２の直径Ｄ２を有するとともに、上記ロック空間の上記第２の内径Ｌ２が、上記操作軸の上記第１の直径Ｄ１より小さく、かつ、上記操作軸の上記第２の直径Ｄ２より大きくこれを形成してあることができる。
上記ロック空間における上記第１の内径Ｌ１は、これを上記操作軸の上記第１の直径Ｄ１と同じに形成してあることができる。
上記幅ガイド部材は、複数個の舌片を設けて上記操作軸を挿通するロック空間を形成していることができる。
上記幅ガイド部材は、上記操作軸を挿通する断面環状のロック空間を形成していることができる。
【発明の効果】
【００１０】
本発明による用紙の幅ガイドロック装置においては、用紙に接触してその幅を規制する幅ガイド部材、幅ガイド部材との間にロック機構を介して係脱する操作軸、および、操作軸を回動操作するロックレバーを設けたので、ロックレバーの回動操作のみで、幅ガイド部材と操作軸との一体化および別体化を行い、幅ガイド部材と操作軸とを一体化した状態で手動操作により操作軸方向への幅ガイド部材の移動位置調節操作を容易かつ確実に行うことができる。
【図面の簡単な説明】
【００１１】
【図１】本発明の実施例による幅ガイドロック装置６を装備したプリンター（たとえばサーマルプリンター１）の側面図である。
【図２】同、図１のＩＩ線矢視図である。
【図３】同、幅ガイドロック装置６の平面図である。
【図４】同、幅ガイドロック装置６の分解斜視図である。
【図５】同、ロック解除状態における操作軸１５の軸方向から見たロックレバー１６の側面図である。
【図６】同、ロック解除状態における図３のＶＩ−ＶＩ線断面図である。
【図７】同、ロック解除状態における舌片部２０（ロック機構１８）の拡大断面図である。
【図８】同、ロック状態における操作軸１５の軸方向から見たロックレバー１６の側面図である。
【図９】同、ロック状態における図６と同様の図３のＶＩ−ＶＩ線断面図である。
【図１０】同、ロック状態における舌片部２０（ロック機構１８）の拡大断面図である。
【図１１】同、第１の変形例による舌片部３０を示す拡大断面図である。
【図１２】同、第２の変形例による舌片部３２を示す拡大断面図である。
【図１３】同、第３の変形例による舌片部３４を示す拡大断面図である。
【発明を実施するための形態】
【００１２】
本発明は、ロックレバーの操作軸に幅ガイド部材に係脱するカム部などを形成し、その操作軸まわりの回動操作により幅ガイド部材との係脱を行うとともに、幅ガイド部材と操作軸とがロック解除状態にあるときに幅ガイド部材を用紙の幅に合わせて位置調節するとともに、その調節位置でロックレバーを回動することによりその調節位置を固定可能としたので、操作性に優れているとともに、用紙への印刷性および移送性を安定化することが可能な用紙の幅ガイドロック装置を実現した。
【実施例】
【００１３】
つぎに本発明の実施例による用紙の幅ガイドロック装置を図１ないし図１０にもとづき説明する。
図１は、本発明における用紙の幅ガイドロック装置を備えた任意の印字方式のプリンター（たとえばサーマルプリンター１）の側面図、図２は、図１のＩＩ線矢視図であって、サーマルプリンター１は、プリンターハウジング２と、プリンターハウジング２内に印刷用紙３（用紙）を挿通移送する移送路４と、印字部５と、本発明による当該幅ガイドロック装置６と、を有する。
【００１４】
プリンターハウジング２は、用紙供給口７と、用紙供給口７に移送路４により連通している用紙排出口８と、を形成してあり、用紙供給口７部分に幅ガイドロック装置６を設けている。
【００１５】
印刷用紙３は、任意の構成のものを任意の形態で用紙供給口７からプリンターハウジング２内にこれを供給可能であって、図示の例では、供給部９に折り畳まれたファンホールドの形態でこれを供給している。
【００１６】
移送路４は、用紙供給口７から用紙排出口８まで印刷用紙３を移送するための通路であって、印字部５および幅ガイドロック装置６のほかに用紙供給口７側に上下一対の移送ローラー１０を設けている。
【００１７】
印字部５は、任意の方式により印刷用紙３の表裏両面に所定の情報をそれぞれ印刷を行うためにその一対を設けてあるもので、たとえば、サーマルヘッド１１およびプラテンローラー１２を設けて感熱発色方式による印刷を行う。もちろん、単一の印字部５のみを設けて印刷用紙３の片面のみに印刷する構成であってもよい。
【００１８】
図３は、幅ガイドロック装置６の平面図、図４は、幅ガイドロック装置６の分解斜視図である。
幅ガイドロック装置６は、基板プレート１３と、左右一対の幅ガイド部材１４と、幅ガイド部材１４に係脱可能な操作軸１５と、操作軸１５と一体的に回動操作可能であるロックレバー１６と、ピニオン用プレート１７と、幅ガイド部材１４と操作軸１５との間に設けたロック機構１８と、を有する。
【００１９】
基板プレート１３は、その中央部にピニオン用プレート１７を固定しているとともに、ピニオン用プレート１３の左右に幅ガイド部材１４を移動可能に取り付けている。
【００２０】
左右一対の幅ガイド部材１４は、印刷用紙３の幅方向にこれを位置させているもので、左右一対のガイド部１９と、その底面側に形成した左右一対の舌片部２０と、操作軸１５に平行に延びるラック部２１と、を設けている。
幅ガイド部材１４は、基板プレート１３上において印刷用紙３の幅方向にこれを移動可能として、左右一対のガイド部１９により印刷用紙３の両側の幅を規制し、印刷用紙３をガイドする。
舌片部２０は、操作軸１５と係脱可能であり、操作軸１５とともに幅ガイド部材１４の下方部においてロック機構１８を構成している。
【００２１】
図５は、ロック解除状態における操作軸１５の軸方向から見たロックレバー１６の側面図、図６は、ロック解除状態における図３のＶＩ−ＶＩ線断面図、図７は、ロック解除状態における舌片部２０（ロック機構１８）の拡大断面図である。
ロックレバー１６は、操作軸１５に一体的にこれを嵌め込んで操作軸１５まわりの回動操作可能である。
【００２２】
操作軸１５は、これを移送路４（印刷用紙３の移送方向）に直交して設けており、操作軸１５は、その軸方向に弧状切欠き部１５Ａを形成することにより、その断面がカム形状を呈するカム部２２を形成している。
左右一対の幅ガイド部材１４におけるそれぞれの舌片部２０の内方部に形成したロック空間２３（図７）にこのカム部２２を挿通する。
【００２３】
ピニオン用プレート１７は、その内部（基板プレート１３との間の空隙部）にピニオン２４を回転可能に取り付けるとともに、ピニオン２４に一対の幅ガイド部材１４それぞれのラック部２１を係合させて、幅ガイド部材１４を互いに反対方向に移動可能としている。
したがって、各種の印刷用紙３を移送路４の幅方向中央部に移送可能とするとともに、印刷用紙３のそれぞれの幅に応じた幅ガイド部材１４による幅規制調節操作を可能としている。
【００２４】
ロック機構１８は、幅ガイド部材１４の舌片部２０と操作軸１５との間にこれを設けるとともに、ロックレバー１６の正逆方向への回動操作にともなって操作軸１５を幅ガイド部材１４にロック可能（図５ないし図７を参照）およびロック解除可能（図８ないし図１０を参照）とする。
ロック機構１８では、操作軸１５の軸方向に形成したカム部２２すなわち弧状切欠き部１５Ａが舌片部２０に対向しているとともに、ロックレバー１６の回動操作にともなって幅ガイド部材１４を操作軸１５に係脱させる。
【００２５】
とくに図６および図７に示すように、舌片部２０は、長舌片２５および短舌片２６を有する。
長舌片２５は、断面カギの手形状であって、幅ガイド部材１４の底部に形成した固定端部２５Ａと自由端部２５Ｂとを有し、わずかに弾性変形可能である。
短舌片２６は、幅ガイド部材１４の底部から垂直方向（鉛直方向）に延びている。
上記長舌片２５および短舌片２６により形成したロック空間２３に操作軸１５のカム部２２を挿通する。
【００２６】
とくに図７に示すように、ロック空間２３は、長舌片２５の固定端部２５Ａと短舌片２６との間に、より長い第１の内径Ｌ１を有し、長舌片２５の自由端部２５Ｂと幅ガイド部材１４の底面との間に、より短い第２の内径Ｌ２を有する（Ｌ２＜Ｌ１）。
操作軸１５にはその軸方向に弧状切欠き部１５Ａを形成しているため、カム部２２は、このロック空間２３内において、弧状切欠き部１５Ａが形成されていない、より大きな第１の直径Ｄ１、および弧状切欠き部１５Ａが位置する、より短い第２の直径Ｄ２を有する（Ｄ２＜Ｄ１）。
ロック機構１８においては、ロック空間２３の第２の内径Ｌ２が、操作軸１５の第１の直径Ｄ１より小さく、かつ、操作軸１５の第２の直径Ｄ２より大きくこれを形成してある（Ｄ２＜Ｌ２＜Ｄ１）。
またロック空間２３における第１の内径Ｌ１は、これを操作軸１５の第１の直径Ｄ１とほぼ同じに形成してある（Ｌ１≒Ｄ１、ただし、ロック空間２３内で操作軸１５が回動することができるように、第１の内径Ｌ１を第１の直径Ｄ１よりわずかに大きく形成している）。
【００２７】
つぎに図８は、ロック状態における操作軸１５の軸方向から見たロックレバー１６の側面図、図９は、ロック状態における図６と同様の図３のＶＩ−ＶＩ線断面図、図１０は、ロック状態における舌片部２０（ロック機構１８）の拡大断面図である。
図５に示すように、図８のロック状態からロックレバー１６を時計方向に回動操作すると、操作軸１５も同じく時計方向に回動し、図５ないし図７に示すように、上述のロック状態が解除され、操作軸１５の弧状切欠き部１５Ａがロック空間２３内において長舌片２５の自由端部２５Ｂに平行に対向位置する。
このロック解除状態では、ロック空間２３の第２の内径Ｌ２が、操作軸１５の第２の直径Ｄ２より大きいために、操作軸１５と幅ガイド部材１４とは、一体化することなく、幅ガイド部材１４は、舌片部２０によるロック空間２３内に位置する操作軸１５に対して自由に移動することができ、幅ガイド部材１４を手動により移動操作することができる。
したがって、幅ガイド部材１４を印刷用紙３の幅に合わせて移動しそのセット位置を調節可能となる。
【００２８】
図８に示すように、図５のロック解除状態（上述した幅ガイド部材１４の調節終了状態）からロックレバー１６を反時計方向に回動操作すると、ロックレバー１６と一体的な操作軸１５が同じく反時計方向に回動し、図９および図１０に示すように、操作軸１５のカム部２２が舌片部２０に作用して（具体的には第１の直径Ｄ１の部分が長舌片２５の自由端部２５Ａに弾性当接し、この自由端部２５Ａがわずかに弾性変形して）、幅ガイド部材１４が操作軸１５にロックされた状態となる。
すなわち、操作軸１５における大きな第１の直径Ｄ１がロック空間２３における第２の内径Ｌ２部分より大きいため、操作軸１５が長舌片２５の自由端部２５Ｂに食い込み、長舌片２５がわずかに弾性変形した状態で左右一対の幅ガイド部材１４と操作軸１５とが一体化する。
【００２９】
なお、とくに図４に示すように、ピニオン用プレート１７および一対の幅ガイド部材１４には、プリンターハウジング２の奥側においてローラー用凹部２７をそれぞれ形成し、前記一対の移送ローラー１０（図１）の一方（下方側）をここに位置可能とするとともに、ピニオン用プレート１７および一方の幅ガイド部材１４に位置検出用マークセンサー２８およびラベル片のギャップセンサー２９をそれぞれ取り付け、印刷用紙３の種類に応じて移送路４上のその位置を検出可能としている。
【００３０】
こうした構成のサーマルプリンター１および幅ガイドロック装置６において、図５ないし図７に示すロック解除状態では、操作軸１５と幅ガイド部材１４とが一体化されていないので、幅ガイド部材１４を印刷用紙３の幅方向に手動により任意の位置に連続的に移動調節することができる。
この幅ガイド部材１４の移動操作の際に、それぞれの幅ガイド部材１４におけるラック部２１がピニオン２４に互いに反対側から係合するので、幅ガイド部材１４は互いに反対方向に移動可能であり、印刷用紙３への接近および離反が可能である。
図８ないし図１０に示すロック状態では、幅ガイド部材１４と操作軸１５とが一体化されることになるので、幅ガイド部材１４を印刷用紙３の幅方向に移動調節した状態で固定することができる。
かくして、ロックレバー１６の操作軸１５まわりの正逆方向への回動操作により、幅ガイド部材１４と操作軸１５とのロックおよびその解除を容易に行うことができる。
【００３１】
なお本発明においては、図示はこれを省略するが、ピニオン２４およびラック部２１を設けることなく、単一の幅ガイド部材１４を設けて、印刷用紙３の一方の縁部のみにこの幅ガイド部材１４を接触させることにより、これを移送路４の一方の縁部方向に案内可能なように構成することもできる。
【００３２】
また本発明においては、幅ガイド部材１４に設けるロック空間２３を形成するための舌片部の構成は任意である。
たとえば、図１１は、舌片部の第１の変形例を示す拡大断面図であって、この舌片部３０は、幅ガイド部材１４の底面に単一連続状の弧状舌片３１を設け、単一の弧状舌片３１によりロック空間２３を形成して、操作軸１５を挿通可能とする。
弧状舌片３１は、ロック空間２３に臨むその内壁面部分に平坦部３１Ａを形成し、この平坦部３１Ａに操作軸１５の弧状切欠き部１５Ａを対向可能としている。
この弧状舌片３１と操作軸１５の弧状切欠き部１５Ａ（カム部２２）との間の相対的な寸法については、詳述はこれを省略するが、図７にもとづいて説明したと同様に設計する。
【００３３】
図１２は、舌片部の第２の変形例を示す拡大断面図であって、この舌片部３２では、幅ガイド部材１４の底面に前記短舌片２６（図７、図１０）の一対を形成してあるとともに、これらの短舌片２６の間に位置して操作軸１５の弧状切欠き部１５Ａに対向する断面棒状舌片３３を設け、これら複数個の短舌片２６および断面棒状舌片３３などの分散状舌片によりロック空間２３を形成して、操作軸１５を挿通可能とする。
複数個の短舌片２６および断面棒状舌片３３と操作軸１５の弧状切欠き部１５Ａ（カム部２２）との間の相対的な寸法については、詳述はこれを省略するが、図７にもとづいて説明したと同様に設計する。
【００３４】
図１３は、舌片部の第３の変形例を示す拡大断面図であって、この舌片部３４では、幅ガイド部材１４の底面に閉鎖舌片３５を形成して、断面環状のロック空間２３（係脱用貫通孔）を形成して、操作軸１５を挿通可能とする。
閉鎖舌片３５は、ロック空間２３に臨むその内壁面部分に平坦部３５Ａを形成し、この平坦部３５Ａに操作軸１５の弧状切欠き部１５Ａを対向可能としている。
閉鎖舌片３５と操作軸１５の弧状切欠き部１５Ａ（カム部２２）との間の相対的な寸法については、詳述はこれを省略するが、図７にもとづいて説明したと同様に設計する。
【００３５】
なお、本発明は、既述のようなプリンターのみならず、ラベルを台紙から剥離するだけの機能を有する剥離装置（図示せず）などにもこれを適用可能である。
【符号の説明】
【００３６】
１  サーマルプリンター（プリンター、図１）
２  プリンターハウジング
３  印刷用紙（用紙）
４  移送路
５  印字部
６  幅ガイドロック装置（実施例、図３〜図１０）
７  用紙供給口
８  用紙排出口
９  供給部
１０  上下一対の移送ローラー
１１  サーマルヘッド
１２  プラテンローラー
１３  基板プレート（図３、図４）
１４  幅ガイド部材
１５Ａ  操作軸１５の弧状切欠き部
１５  操作軸
１６  ロックレバー
１７  ピニオン用プレート
１８  ロック機構
１９  幅ガイド部材１４のガイド部
２０  幅ガイド部材１４の舌片部
２１  幅ガイド部材１４のラック部
２２  操作軸１５に形成したカム部
２３  ロック空間
２４  ピニオン
２５  舌片部２０の長舌片
２５Ａ  長舌片２５の固定端部
２５Ｂ  長舌片２５の自由端部
２６  舌片部２０の短舌片
２７  ローラー用凹部
２８  位置検出用マークセンサー
２９  ギャップセンサー
３０  舌片部（第１の変形例、図１１）
３１  単一連続状の弧状舌片
３１Ａ  弧状舌片３１の平坦部
３２  舌片部（第２の変形例、図１２）
３３  断面棒状舌片
３４  舌片部（第３の変形例、図１３）
３５  閉鎖舌片
３５Ａ  閉鎖舌片３５の平坦部
Ｄ１  操作軸１５のカム部２２における、弧状切欠き部１５Ａが形成されていない、より大きな第１の直径（図７）
Ｄ２  操作軸１５のカム部２２における、弧状切欠き部１５Ａが位置する、より短い第２の直径（Ｄ２＜Ｄ１）
Ｌ１  ロック空間２３における、長舌片２５の固定端部２５Ａと短舌片２６との間の、より長い第１の内径（Ｌ１≒Ｄ１）
Ｌ２  ロック空間２３における、長舌片２５の自由端部２５Ｂと幅ガイド部材１４の底面との、より短い第２の内径（Ｌ２＜Ｌ１、Ｄ２＜Ｌ２＜Ｄ１）
【図１】
2010184360.tif 000003
【図２】
2010184360.tif 000004
【図３】
2010184360.tif 000005
【図４】
2010184360.tif 000006
【図５】
2010184360.tif 000007
【図６】
2010184360.tif 000008
【図７】
2010184360.tif 000009
【図８】
2010184360.tif 000010
【図９】
2010184360.tif 000011
【図１０】
2010184360.tif 000012
【図１１】
2010184360.tif 000013
【図１２】
2010184360.tif 000014
【図１３】
2010184360.tif 000015